(57)【要約】【課題】  少なくとも１つの太陽電池パネルを装備するハイブリッドの組立品を提供する。【解決手段】  本発明は、少なくとも１つの太陽電池パネルを装備するハイブリッドの組立品を含み、前記組立品が、光エネルギーの集中手段（Ｃｏｎｃ）を備える少なくとも１つの太陽電池（ＣＳＣ）と、光エネルギーの集中手段を持たない少なくとも１つの太陽電池とを含むことを特徴とする宇宙船に関する。【選択図】図３ａ
2013006592.tif 000002
【特許請求の範囲】
【請求項１】
少なくとも１つの太陽電池パネルを装備するハイブリッドの組立品を含み、前記組立品が、光エネルギーの集中手段（Ｃｏｎｃ）を備える少なくとも１つの太陽電池（ＣＳＣ）と、光エネルギーの集中手段を持たない少なくとも１つの太陽電池とを含むことを特徴とする宇宙船。
【請求項２】
前記光エネルギーの集中手段（Ｃｏｎｃ）が少なくとも１つの反射器（Ｒｅｆ）を含む、請求項１に記載の宇宙船。
【請求項３】
前記光エネルギーの集中手段（Ｃｏｎｃ）が少なくとも１つの集中装置を含む、請求項１に記載の宇宙船。
【請求項４】
前記集中装置が少なくとも１つの光学レンズ（Ｌｅｎｔ）を含む、請求項３に記載の宇宙船。
【請求項５】
前記レンズ（Ｌｅｎｔ）がフレネル・レンズであり、少なくとも一部分は折り畳めるフレキシブルな材料、及び前記レンズ（Ｌｅｎｔ）の展開用装置を含む、請求項４に記載の宇宙船。
【請求項６】
光エネルギーの集中手段を装備した太陽電池のみを備える少なくとも１つの太陽電池パネル（ＰＡＣ）と、光エネルギーの集中手段（Ｃｏｎｃ）を持たない太陽電池のみを備える少なくとも１つの太陽電池パネル（ＰＳＣ）とを含む、請求項１〜５のいずれか一項に記載の宇宙船。
【請求項７】
光エネルギーの集中手段（Ｃｏｎｃ）を備える少なくとも１つの太陽電池（ＣＳＣ）と、光エネルギーの集中手段を持たない少なくとも１つの太陽電池とによって生成される電気エネルギーの混成による、宇宙船の電気エネルギーの生成方法。
【発明の詳細な説明】
【技術分野】
【０００１】
本発明は、少なくとも１つの太陽電池パネルを装備するハイブリッドの組立品に関する。
【背景技術】
【０００２】
図１ａ及び１ｂに示す反射器Ｒｅｆのような、光エネルギー又は太陽エネルギーの集中用手段Ｃｏｎｃを備えた太陽電池ＣＳＣで作られる、太陽電池パネルを用いることが知られている。そのようなシステムはＢｏｅｉｎｇ  ＨＳ７０２型人工衛星で使用されている。
【０００３】
同じく知られているのは、図２に示すような、延伸したレンズ配列（Ｓｔｒｅｔｃｈｅｄ  Ｌｅｎｓ  Ａｒｒａｙ）（ＳＬＡ）システムの如きレンズＬｅｎｔを用いて作られる集中装置のような、光エネルギーの集中手段Ｃｏｎｃを備えた太陽電池ＣＳＣで作られる太陽電池パネルである。レンズＬｅｎｔは、光エネルギーを太陽電池ＣＳＣ上に集中させる。そのようなシステムは、例えば特許文書である米国特許第６１８８０１２号明細書（Ｔｅｃｓｔａｒ）、国際公開第００／７９５９号パンフレット（ＡＥＣ−ＡＢＬＥ）、又は国際公開第０２／０８０５８号パンフレット（ＣＳＬ）、あるいは米国特許第６０７５２００号明細書（ＥＮＴＥＣＨ）において記述されている。
【０００４】
集中装置を備えた太陽電池を有する人工衛星用の太陽電池パネルの使用は知られているが、とりわけ作り出される電気エネルギーが非常に小さくなる照準ずれの間に問題を生じ、それはこのタイプの電池が、光のエネルギー源に対する照準合わせ又は照準ずれに応じて、ある程度、バイナリのエネルギー効率を一般的に有するためである。
【０００５】
照準ずれは、この場合は太陽である光源により照射される光のエネルギーの光線方向と、太陽電池の受光面との間の角度偏差を意味する。
【０００６】
また、衛星の太陽電池パネルが照準ずれを生じている場合、特に衛星をステーション上の定位置に置く段階の間、又は衛星がその公称姿勢を失っているとき、太陽発電機により衛星に供給される電気エネルギー又は電流は非常に小さい。
【発明の概要】
【発明が解決しようとする課題】
【０００７】
本発明の１つの目的は、特に照準ずれの間に、とりわけ、例えば衛星をステーション上の定位置に置く段階の間、又は衛星がその公称姿勢を失っているときに、送達される電気エネルギーの非常に深刻な損失を避けること、太陽発電機により衛星に供給される電気エネルギー又は電流が非常に小さくなるのを避けることが出来るようにすることである。
【０００８】
集中を用いるシステムが非常に適している、本発明の別の用途は、その任務の間に直射日光照度が大幅に変化し、そして例えば地球軌道における標準照度から宇宙空間における照度へ移行する、宇宙船に関連し得る。
【課題を解決するための手段】
【０００９】
本発明の１つの態様によれば、少なくとも１つの太陽電池パネルを装備したハイブリッドの組立品を含む宇宙船が提案されている。本組立品は光エネルギー集中手段を備えた少なくとも１つの太陽電池と、光エネルギー集中手段を持たない少なくとも１つの太陽電池とを含む。
【００１０】
そのようなハイブリッドの組立品を備えた、そのような宇宙船は、特に照準ずれの場合、例えば衛星をステーション上の定位置に置く段階の間、又は衛星がその公称姿勢を失っているときに、送達される電気エネルギーの非常に深刻な損失を避けることを可能にする。
【００１１】
１つの実施形態において、前記光エネルギーの集中手段は少なくとも１つの反射器を含む。
【００１２】
反射器は、複数の太陽電池に対して共有され得るか、又は１つの太陽電池だけの専用であり得る。
【００１３】
その利点は、非常に高価である電池の数を減らし、従ってこれらのシステムの費用を低減することである。
【００１４】
１つの実施形態において、前記光エネルギーの集中手段は少なくとも１つの集中装置を含む。
【００１５】
光学レンズのような集中装置の使用は、太陽電池に伝達される太陽エネルギーの大幅な増加を可能にし、それゆえ太陽電池により供給される電気エネルギーを、集中装置の無い場合よりも大幅に、例えば約１０倍に増加させることを可能にする。
【００１６】
費用はそれゆえ低減される。
【００１７】
例えば、そのようなレンズはフレネル・レンズであり、少なくとも一部分は折り畳めるフレキシブルな材料、及び前記レンズの展開用装置を含む。
【００１８】
従って、非常に高価な電池の数、およびシステムの費用を低減可能である。
【００１９】
１つの実施形態において、ハイブリッドの組立品は、光エネルギーの集中手段を装備した太陽電池のみを備える少なくとも１つの太陽電池パネルと、光エネルギーの集中手段を持たない太陽電池のみを備える、少なくとも１つの太陽電池パネルとを含む。
【００２０】
そのような実施形態は、太陽電池パネルが、光エネルギーの集中手段を備える太陽電池のみか、光エネルギーの集中手段を持たない太陽電池のみを含むため、ハイブリッドの組立品の太陽電池パネルの製作費を制限することを可能にする。
【００２１】
本発明の別の態様によれば、光エネルギーの集中手段を備える少なくとも１つの太陽電池と、光エネルギーの集中手段を持たない少なくとも１つの太陽電池とによって生成される、電気エネルギーの混成による、宇宙船用の電気エネルギーの生成方法もまた提案されている。
【００２２】
本発明は、制限されない例のために記述され、添付図により例証される幾つかの実施形態を学ぶことにより、さらに良く理解されるであろう。
【図面の簡単な説明】
【００２３】
【図１ａ】反射器を備える太陽電池で作られた、先行技術の太陽電池パネルを図式的に示す。
【図１ｂ】反射器を備える太陽電池で作られた、先行技術の太陽電池パネルを図式的に示す。
【図２】レンズの形に作られた集中装置を備える太陽電池を図式的に示す。
【図３ａ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｂ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｃ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｄ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｅ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｆ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｇ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｈ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｉ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｊ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｋ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｌ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｍ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｎ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｏ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｐ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【図３ｑ】光エネルギーの集中手段を装備した太陽電池のみを備える少なくとも１つの太陽電池パネルと、光エネルギーの集中手段を持たない太陽電池のみを備える少なくとも１つの太陽電池パネルとを装備した、ハイブリッドの組立品を図式的に示す。
【００２４】
各種の図において、同一の参照記号を有する要素は類似である。
【発明を実施するための形態】
【００２５】
図３ａ〜３ｑは、光エネルギーの集中手段を装備した太陽電池のみを備える少なくとも１つの太陽電池パネルと、光エネルギーの集中手段を持たない太陽電池のみを備える、少なくとも１つの太陽電池パネルとを含む、人工衛星の太陽発電機の翼を示す。勿論、これらの実施形態は限定するものではない。
【００２６】
図３ａは、直線状に配置された３つの太陽電池パネルを装備している太陽発電機の翼ＧＳを示し、そのうち１つのパネルＰＡＣが光エネルギーの集中手段を装備する太陽電池のみを備え、光エネルギーの集中手段を持たない太陽電池のみを備える２つの別の太陽電池パネルＰＳＣの間に配置されている。
【００２７】
照準ずれを伴う段階の間、光エネルギーの集中手段を装備した太陽電池のみを備える太陽電池パネルＰＡＣがもはや電気エネルギーを供給しないため、このような太陽発電機の翼は、３分の１だけ少ない電気エネルギーを提供する。
【００２８】
図３ｂは、直線状に配置された３つの太陽電池パネルを装備している太陽発電機の翼ＧＳを示し、そのうち２つのパネルＰＡＣが、衛星に取り付けられた翼の端部に隣接して配置される、光エネルギーの集中手段を装備した太陽電池のみを備え、そして１つの太陽電池パネルＰＳＣが、光エネルギーの集中手段を持たない太陽電池のみを備える。
【００２９】
照準ずれを伴う段階の間、光エネルギーの集中手段を装備した太陽電池のみを備える２つの太陽電池パネルＰＡＣがもはや電気エネルギーを供給しないため、このような太陽発電機の翼は、３分の２だけ少ない電気エネルギーを提供する。
【００３０】
図３ｃは、直線状に配置された４つの太陽電池パネルを装備している太陽発電機の翼ＧＳを示し、そのうち１つのパネルＰＡＣが光エネルギーの集中手段を装備した太陽電池のみを備え、衛星に取り付けられた翼の端部から始めて位置の番号付けが３番目の位置に配置され、そして３つの太陽電池パネルＰＳＣが、光エネルギーの集中手段を持たない太陽電池のみを備える。
【００３１】
照準ずれを伴う段階の間、光エネルギーの集中手段を装備した太陽電池のみを備える太陽電池パネルＰＡＣがもはや電気エネルギーを供給しないため、このような太陽発電機の翼は、４分の１だけ少ない電気エネルギーを提供する。
【００３２】
図３ｄは、直線状に配置された４つの太陽電池パネルを装備している太陽発電機の翼ＧＳを示し、そのうち１つのパネルＰＡＣが光エネルギーの集中手段を装備した太陽電池のみを備え、衛星に取り付けられた翼の端部から始めて位置の番号付けが２番目の位置に配置され、そして３つの太陽電池パネルＰＳＣが、光エネルギーの集中手段を持たない太陽電池のみを備える。
【００３３】
照準ずれを伴う段階の間、光エネルギーの集中手段を装備した太陽電池のみを備える太陽電池パネルＰＡＣがもはや電気エネルギーを供給しないため、このような太陽発電機の翼は、４分の１だけ少ない電気エネルギーを提供する。
【００３４】
図３ｅは、直線状に配置された４つの太陽電池パネルを装備している太陽発電機の翼ＧＳを示し、そのうち２つのパネルＰＡＣが光エネルギーの集中手段を装備した太陽電池のみを備え、衛星に取り付けられた翼の端部から始めて位置の番号付けで２番目と３番目の位置に配置され、そして２つの太陽電池パネルＰＳＣが、光エネルギーの集中手段を持たない太陽電池のみを備える。
【００３５】
照準ずれを伴う段階の間、光エネルギーの集中手段を装備した太陽電池のみを備える２つの太陽電池パネルＰＡＣがもはや電気エネルギーを供給しないため、このような太陽発電機の翼は、半分だけ少ない電気エネルギーを提供する。
【００３６】
図３ｆは、直線状に配置された４つの太陽電池パネルを装備している太陽発電機の翼ＧＳを示し、そのうち３つのパネルＰＡＣが光エネルギーの集中手段を装備した太陽電池のみを備え、衛星に取り付けられた翼の端部から始めて位置の番号付けで１番目、２番目、及び３番目の位置に配置され、そして１つの太陽電池パネルＰＳＣが、光エネルギーの集中手段を持たない太陽電池のみを備える。
【００３７】
照準ずれを伴う段階の間、光エネルギーの集中手段を装備した太陽電池のみを備える３つの太陽電池パネルＰＡＣがもはや電気エネルギーを供給しないため、このような太陽発電機の翼は、４分の３だけ少ない電気エネルギーを提供する。
【００３８】
図３ｇは、Ｔ形に配置された５つの太陽電池パネルを備える太陽発電機の翼ＧＳを示し、その基底は衛星に取り付けられた翼の端部にある。
【００３９】
１つのパネルＰＡＣが、光エネルギーの集中手段を装備した太陽電池のみを備え、Ｔの水平バーの中央に配置されている。
【００４０】
その他の４つのパネルＰＳＣは、光エネルギーの集中手段を持たない太陽電池のみを備える。
【００４１】
照準ずれを伴う段階の間、光エネルギーの集中手段を装備した太陽電池のみを備える太陽電池パネルＰＡＣがもはや電気エネルギーを供給しないため、このような太陽発電機の翼は、５分の１だけ少ない電気エネルギーを提供する。
【００４２】
図３ｈは、Ｔ形に配置された５つの太陽電池パネルを備える太陽発電機の翼ＧＳを示し、その基底は衛星に取り付けられた翼の端部にある。
【００４３】
２つのパネルＰＡＣが、光エネルギーの集中手段を装備した太陽電池のみを備え、Ｔの水平バーの中央と、その真下のＴの垂直バーにおいて配置されている。
【００４４】
その他の３つのパネルＰＳＣは、光エネルギーの集中手段を持たない太陽電池のみを備える。
【００４５】
照準ずれを伴う段階の間、光エネルギーの集中手段を装備した太陽電池のみを備える２つの太陽電池パネルＰＡＣがもはや電気エネルギーを供給しないため、このような太陽発電機の翼は、５分の２だけ少ない電気エネルギーを提供する。
【００４６】
図３ｉは、Ｔ形に配置された５つの太陽電池パネルを備える太陽発電機の翼ＧＳを示し、その基底は衛星に取り付けられた翼の端部にある。
【００４７】
２つのパネルＰＡＣが、光エネルギーの集中手段を装備した太陽電池のみを備え、Ｔの水平バーの両端に配置されている。その他の３つのパネルＰＳＣは、光エネルギーの集中手段を持たない太陽電池のみを備える。
【００４８】
照準ずれを伴う段階の間、光エネルギーの集中手段を装備した太陽電池のみを備える２つの太陽電池パネルＰＡＣがもはや電気エネルギーを供給しないため、このような太陽発電機の翼は、５分の２だけ少ない電気エネルギーを提供する。
【００４９】
図３ｊは、Ｔ形に配置された５つの太陽電池パネルを備える太陽発電機の翼ＧＳを示し、その基底は衛星に取り付けられた翼の端部にある。
【００５０】
３つのパネルＰＡＣが、光エネルギーの集中手段を装備した太陽電池のみを備え、Ｔの垂直バー上に配置されている。その他の２つのパネルＰＳＣは、光エネルギーの集中手段を持たない太陽電池のみを備える。
【００５１】
照準ずれを伴う段階の間、光エネルギーの集中手段を装備した太陽電池のみを備える３つの太陽電池パネルＰＡＣがもはや電気エネルギーを供給しないため、このような太陽発電機の翼は、５分の３だけ少ない電気エネルギーを提供する。
【００５２】
図３ｋは、Ｔ形に配置された５つの太陽電池パネルを備える太陽発電機の翼ＧＳを示し、その基底は衛星に取り付けられた翼の端部にある。
【００５３】
１つのパネルＰＳＣが、光エネルギーの集中手段を持たない太陽電池のみを備え、Ｔの水平バーの中央に配置されている。
【００５４】
４つのパネルＰＡＣは、光エネルギーの集中手段を装備した太陽電池のみを備える。
【００５５】
照準ずれを伴う段階の間、光エネルギーの集中手段を装備した太陽電池のみを備える４つの太陽電池パネルＰＡＣがもはや電気エネルギーを供給しないため、このような太陽発電機の翼は、５分の４だけ少ない電気エネルギーを提供する。
【００５６】
図３ｌは、十字形に配置された６つの太陽電池パネルを備える太陽発電機の翼ＧＳを示し、その基底は衛星に取り付けられた翼の端部にある。
【００５７】
３つのパネルＰＡＣは、光エネルギーの集中手段を装備した太陽電池のみを備え、十字形の垂直バーの下側部分に配置されている。
【００５８】
その他の３つのパネルＰＳＣは、光エネルギーの集中手段を持たない太陽電池のみを備える。
【００５９】
照準ずれを伴う段階の間、光エネルギーの集中手段を装備した太陽電池のみを備える３つの太陽電池パネルＰＡＣがもはや電気エネルギーを供給しないため、このような太陽発電機の翼は、半分だけ少ない電気エネルギーを提供する。
【００６０】
図３ｍは、十字形に配置された６つの太陽電池パネルを備える太陽発電機の翼ＧＳを示し、その基底は衛星に取り付けられた翼の端部にある。
【００６１】
４つのパネルＰＡＣは、光エネルギーの集中手段を装備した太陽電池のみを備え、その３つは十字形の水平バーを形成し、その４つ目は十字形の垂直バーにおいて上方に配置されている。
【００６２】
その他の２つのパネルは、光エネルギーの集中手段を持たない太陽電池のみを備える。
【００６３】
照準ずれを伴う段階の間、光エネルギーの集中手段を装備した太陽電池のみを備える４つの太陽電池パネルＰＡＣがもはや電気エネルギーを供給しないため、このような太陽発電機の翼は、３分の２だけ少ない電気エネルギーを提供する。
【００６４】
図３ｎは、十字形に配置された６つの太陽電池パネルを備える太陽発電機の翼ＧＳを示し、その基底は衛星に取り付けられた翼の端部にある。
【００６５】
５つのパネルＰＡＣは、光エネルギーの集中手段を装備した太陽電池のみを備え、その３つは十字形の水平バーを形成し、その４つ目は十字形の垂直バーにおいて下方に配置され、その５つ目は十字形の垂直バーにおいて上方に配置されている。
【００６６】
その他のパネルＰＳＣは、光エネルギーの集中手段を持たない太陽電池のみを備える。
【００６７】
照準ずれを伴う段階の間、光エネルギーの集中手段を装備した太陽電池のみを備える５つの太陽電池パネルＰＡＣがもはや電気エネルギーを供給しないため、このような太陽発電機の翼は、６分の５だけ少ない電気エネルギーを提供する。
【００６８】
図３ｏは、７つの太陽電池パネルを備える太陽発電機の翼ＧＳを示し、３つのパネルが直線状に接続され、この３つのパネルの接続の基底は衛星に取り付けられた翼の端部にあり、端にある２つのパネルが、それぞれ２つのパネルによって両側から挟まれている。
【００６９】
４つのパネルＰＡＣは、光エネルギーの集中手段を装備した太陽電池のみを備え、その２つは直線状の接続の端にあり、その他の２つは直線的接続の中央にあるパネルを両側から挟んでいる。
【００７０】
その他の３つのパネルＰＳＣは、光エネルギーの集中手段を持たない太陽電池のみを備える。
【００７１】
照準ずれを伴う段階の間、光エネルギーの集中手段を装備した太陽電池のみを備える４つの太陽電池パネルＰＡＣがもはや電気エネルギーを供給しないため、このような太陽発電機の翼は、７分の４だけ少ない電気エネルギーを提供する。
【００７２】
図３ｐは、７つの太陽電池パネルを備える太陽発電機の翼ＧＳを示し、３つのパネルが直線状に接続され、この３つのパネルの接続の基底は衛星に取り付けられた翼の端部にあり、端にある２つのパネルが、それぞれ２つのパネルによって両側から挟まれている。
【００７３】
５つのパネルＰＡＣは、光エネルギーの集中手段を装備した太陽電池のみを備え、その３つは直線的接続を形成し、その他の２つは直線的接続の中央にあるパネルを両側から挟んでいる。
【００７４】
その他の２つのパネルＰＳＣは、光エネルギーの集中手段を持たない太陽電池のみを備える。
【００７５】
照準ずれを伴う段階の間、光エネルギーの集中手段を装備した太陽電池のみを備える５つの太陽電池パネルＰＡＣがもはや電気エネルギーを供給しないため、このような太陽発電機の翼は、７分の５だけ少ない電気エネルギーを提供する。
【００７６】
図３ｑは、７つの太陽電池パネルを備える太陽発電機の翼ＧＳを示し、３つのパネルが直線状に接続され、この３つのパネルの接続の基底は衛星に取り付けられた翼の端部にあり、端にある２つのパネルが、それぞれ２つのパネルによって両側から挟まれている。
【００７７】
６つのパネルＰＡＣは、光エネルギーの集中手段を装備した太陽電池のみを備え、その２つは直線的接続の始まりと中央にあり、その他の４つは直線的接続の部分を形成しない別のパネルである。
【００７８】
パネルＰＳＣは、光エネルギーの集中手段を持たない太陽電池のみを備える。
【００７９】
照準ずれを伴う段階の間、光エネルギーの集中手段を装備した太陽電池のみを備える６つの太陽電池パネルＰＡＣがもはや電気エネルギーを供給しないため、このような太陽発電機の翼は、７分の６だけ少ない電気エネルギーを提供する。
【００８０】
従って、人工衛星の特性及び要求事項に応じて様々な実施形態が、例え照準ずれの段階の間であっても十分な電気エネルギーの供給を可能にする、太陽発電機を提供できるようにする。
【符号の説明】
【００８１】
Ｒｅｆ  反射器
ＣＳＣ  太陽電池
Ｌｅｎｔ  レンズ
ＰＡＣ  光エネルギーの集中手段を装備した太陽電池のみを備える太陽電池パネル
ＰＳＣ  光エネルギーの集中手段を持たない太陽電池のみを備える太陽電池パネル
Ｃｏｎｃ  光エネルギーの集中手段
ＧＳ  太陽発電機の翼
【図１ａ】
2013006592.tif 000003
【図１ｂ】
2013006592.tif 000004
【図２】
2013006592.tif 000005
【図３ａ】
2013006592.tif 000006
【図３ｂ】
2013006592.tif 000007
【図３ｃ】
2013006592.tif 000008
【図３ｄ】
2013006592.tif 000009
【図３ｅ】
2013006592.tif 000010
【図３ｆ】
2013006592.tif 000011
【図３ｇ】
2013006592.tif 000012
【図３ｈ】
2013006592.tif 000013
【図３ｉ】
2013006592.tif 000014
【図３ｊ】
2013006592.tif 000015
【図３ｋ】
2013006592.tif 000016
【図３ｌ】
2013006592.tif 000017
【図３ｍ】
2013006592.tif 000018
【図３ｎ】
2013006592.tif 000019
【図３ｏ】
2013006592.tif 000020
【図３ｐ】
2013006592.tif 000021
【図３ｑ】
2013006592.tif 000022
【外国語明細書】
2013006592000001.pdf